(57)【要約】【課題】ユーザに対する運転内容の報知をより確実に行うことができる空気調和機の提供。【解決手段】空気調和機１００は、通常運転と、室内機１の有する室内機本体３の内側に収容されるエアフィルタ２１または室内熱交換器１２の清掃あるいは乾燥を行うためのメンテナンス運転とを少なくとも行う空気調和機であって、判定部６１と、スピーカー５０とを備えている。判定部６１は、通常運転の運転動作状況を監視する。また、判定部６１は、通常運転の運転動作状況が、所定条件を満たしているか否かを判定する。さらに、スピーカー５０は、通常運転の停止時に判定部６１の判定結果に基づいて、エアフィルタ２１またはダストボックス７０の清掃が必要である旨、あるいは、エアフィルタ２１または室内熱交換器１２のメンテナンス運転の開始を音声によって報知する。【選択図】図１
2009133498.tif 000002
【特許請求の範囲】
【請求項１】
通常運転と、室内機（１）の有する室内機本体（３）の内側に収容される内部機器（１２，２１，７０）の清掃または乾燥を行うメンテナンス運転とを少なくとも行う空気調和機であって、
前記通常運転の運転動作状況を監視し、前記運転動作状況が所定条件を満たしているか否かを判定する判定部（６１）と、
前記通常運転の停止時に前記判定部の判定結果に基づいて、前記内部機器のメンテナンスが必要である旨、および／または、前記メンテナンス運転の開始を音声によって報知する音声出力部（５０）と、
を備える空気調和機（１００）。
【請求項２】
前記通常運転の停止信号を受け付ける受付部（３０，３３ａ）を更に備える、
請求項１に記載の空気調和機。
【請求項３】
前記通常運転の停止時に前記メンテナンス運転を自動的に開始するか否かの設定を行うための設定部（３４）を更に備える、
請求項１または２に記載の空気調和機。
【請求項４】
前記設定が前記メンテナンス運転を自動的に開始する設定である場合に、前記メンテナンス運転の開始が報知されるように前記音声出力部の音声出力動作を制御し、前記設定が前記メンテナンス運転を自動的に開始しない設定である場合に、前記内部機器のメンテナンスが必要である旨が報知されるように前記音声出力部の音声出力動作を制御する制御部（６２）を更に備える、
請求項３に記載の空気調和機。
【請求項５】
前記設定が前記メンテナンス運転を自動的に開始する設定である場合に、前記内部機器のメンテナンスが必要である旨および前記メンテナンス運転の開始が報知されるように前記音声出力部の音声出力動作を制御し、前記設定が前記メンテナンス運転を自動的に開始しない設定である場合に、前記内部機器のメンテナンスが必要である旨が報知されるように前記音声出力部の音声出力動作を制御する制御部を更に備える、
請求項３に記載の空気調和機。
【請求項６】
前記室内機は、リモコン（２０）を更に有し、
前記音声出力部は、前記室内機本体の方に設けられている、
請求項１から５のいずれかに記載の空気調和機。
【請求項７】
前記音声出力部は、前記メンテナンス運転における注意事項を更に報知する、
請求項１から６のいずれかに記載の空気調和機。
【発明の詳細な説明】
【技術分野】
【０００１】
本発明は、報知機能を備える空気調和機に関する。
【背景技術】
【０００２】
従来より、リモコンの表示部に運転内容を表示することによって、ユーザに対して現在の運転内容を報知することができる空気調和機がある。しかし、この空気調和機では、ユーザは、表示部の表示を視覚的に確認しなければならない。このため、運転内容をユーザに対して十分に報知できていないおそれがある。
【０００３】
そこで、リモコンの表示部に運転内容を表示するとともに、室内機本体の有するスピーカーから運転内容を音声によって発する空気調和機が提案されている（特許文献１参照）。この空気調和機では、ユーザに対する運転内容の報知が、表示および音声によって行われている。このため、ユーザは、視覚および聴覚から運転内容を認識することができる。
【特許文献１】特開２００７−４０６４４号公報
【発明の開示】
【発明が解決しようとする課題】
【０００４】
しかしながら、この空気調和機では、ユーザがリモコンを操作して指定した運転内容を、表示および音声によって報知が行われる。このため、例えば、この空気調和機が空気調和機の運転停止時に自動的にフィルタ清掃運転等のメンテナンス運転が行われる機能を有している場合、室内機本体の操作部を直接操作されることによって空気調和機の運転が停止されると、表示または音声によるメンテナンス運転の報知が行われないことになる。したがって、ユーザは、このメンテナンス運転の開始を認識できないおそれがある。
【０００５】
そこで、本発明の課題は、ユーザに対する運転内容の報知をより確実に行うことができる空気調和機を提供することにある。
【課題を解決するための手段】
【０００６】
第１発明に係る空気調和機は、通常運転と、室内機の有する室内機本体の内側に収容される内部機器の清掃または乾燥を行うメンテナンス運転とを少なくとも行う空気調和機であって、判定部と、音声出力部とを備えている。判定部は、通常運転の運転動作状況を監視する。また、判定部は、通常運転の運転動作状況が、所定条件を満たしているか否かを判定する。さらに、音声出力部は、通常運転の停止時に判定部の判定結果に基づいて、内部機器のメンテナンスが必要である旨、および／または、メンテナンス運転の開始を音声によって報知する。
【０００７】
第１発明に係る空気調和機では、通常運転の停止時に、内部機器のメンテナンスが必要である旨、および／または、メンテナンス運転の開始を音声によって報知する音声出力部を備えている。このため、通常運転の運転が停止されることによって、メンテナンス運転に関する内容が音声によって報知される。したがって、例えば、ユーザが室内機本体の操作部を直接操作することによって空気調和機の運転を停止した場合でも、メンテナンス運転に関する内容が音声によって報知されることになる。
【０００８】
これによって、ユーザに対する運転内容の報知をより確実に行うことができる。
【０００９】
第２発明に係る空気調和機は、第１発明の空気調和機であって、受付部を更に備えている。受付部は、通常運転の停止信号を受け付ける。この受付部とは、例えば、ユーザから通常運転の停止情報の入力を受け付ける入力受付部やリモコンを介して通常運転の停止信号を受信する制御信号受付部等を含む。このため、この空気調和機では、ユーザからの通常運転の停止信号を受け付けることができる。
【００１０】
第３発明に係る空気調和機は、第１発明または第２発明の空気調和機であって、設定部を更に備えている。設定部では、通常運転の停止時に、メンテナンス運転を自動的に開始するか否かの設定が行われる。このため、通常運転の停止時に自動的にメンテナンス運転を開始するか否かを、ユーザの好みに応じて設定することができる。
【００１１】
これによって、ユーザの快適性を向上させることができる。
【００１２】
第４発明に係る空気調和機は、第３発明の空気調和機であって、制御部を更に備えている。制御部は、設定がメンテナンス運転を自動的に開始する設定である場合に、メンテナンス運転の開始が報知されるように音声出力部の音声出力動作を制御する。また、制御部は、設定がメンテナンス運転を自動的に開始しない設定である場合に、内部機器のメンテナンスが必要である旨が報知されるように音声出力部の音声出力動作を制御する。このため、この空気調和機では、設定に基づいてメンテナンス運転の開始あるいは内部機器のメンテナンスが必要であることを報知することができる。
【００１３】
第５発明に係る空気調和機は、第３発明の空気調和機であって、制御部を更に備えている。制御部は、設定がメンテナンス運転を自動的に開始する設定である場合に、内部機器のメンテナンスが必要である旨、および、メンテナンス運転の開始が報知されるように音声出力部の音声出力動作を制御する。また、制御部は、設定がメンテナンス運転を自動的に開始しない設定である場合に、内部機器のメンテナンスが必要である旨が報知されるように音声出力部の音声出力動作を制御する。このため、この空気調和機では、設定に基づいてメンテナンス運転の開始、および、内部機器のメンテナンスが必要であることを報知することができる。
【００１４】
第６発明に係る空気調和機は、第１発明から第５発明のいずれかの空気調和機であって、室内機は、リモコンを更に有している。また、音声出力部は、室内機本体の方に設けられている。このため、例えば、液晶表示画面等の表示部を有するリモコンにおいて、この表示部に報知内容が表示される場合、ユーザは、表示部の報知内容を確認することによって報知内容を認識する。したがって、リモコンの表示部による報知では、ユーザが表示部を視覚的に確認する必要がある。しかしながら、この空気調和機では、室内機本体に設けられている音声出力部から音声によって報知が行われる。このため、少なくとも室内機本体の近傍にいるユーザに対して、聴覚的に報知内容を報知することができる。したがって、表示による報知と比較して、報知可能な範囲をより広くすることができる。
【００１５】
これによって、ユーザに報知内容を認識させやすくすることができる。
【００１６】
第７発明に係る空気調和機は、第１発明から第６発明のいずれかの空気調和機であって、音声出力部は、メンテナンス運転における注意事項を更に報知する。このメンテナンス運転における注意事項とは、例えば、メンテナンス運転が行われることによって室内の温度が上昇する等である。また、このような場合には、「室内の温度が上がります」という報知が為される。このため、ユーザにメンテナンス運転における注意事項を認識させることができる。
【００１７】
これによって、メンテナンス運転におけるユーザの不快感を軽減させることができる。
【発明の効果】
【００１８】
第１発明に係る空気調和機では、ユーザに対する運転内容の報知をより確実に行うことができる。
【００１９】
第２発明に係る空気調和機では、ユーザからの通常運転の停止信号を受け付けることができる。
【００２０】
第３発明に係る空気調和機では、ユーザの快適性を向上させることができる。
【００２１】
第４発明に係る空気調和機では、設定に基づいてメンテナンス運転の開始あるいは内部機器のメンテナンスが必要であることを報知することができる。
【００２２】
第５発明に係る空気調和機では、設定に基づいてメンテナンス運転の開始、および、内部機器のメンテナンスが必要であることを報知することができる。
【００２３】
第６発明に係る空気調和機では、ユーザに報知内容を認識させやすくすることができる。
【００２４】
第７発明に係る空気調和機では、メンテナンス運転におけるユーザの不快感を軽減させることができる。
【発明を実施するための最良の形態】
【００２５】
＜空気調和機の概略構成＞
本発明の一実施形態に係る室内機１を備える空気調和機１００を図１に示す。この空気調和機１００は、室内機１と室外機２とから構成されており、冷房運転および暖房運転を含む通常運転と内部クリーン運転およびフィルタ清掃運転を含むメンテナンス運転とを行うことができる。空気調和機１００は、空調室内の空気を空気取込口６から室内機１の備える室内機本体３内部に取り込み、取り込んだ空気に対して空気調和を行い、空気調和された空気を空気吹出口４から空調室内に吹き出す。室内機本体３内には、図２に示すように、室内ファン１３および室内熱交換器１２等が配置されている。また、室外機２には、室外機制御部が内蔵されている。室外機制御部は、室外機２に収容されている圧縮機、室外ファンおよび室外熱交換器等の制御を行う。以下、室内機１の構成について説明する。
【００２６】
＜室内機の構成＞
室内機１は、室内の壁面に取り付けられる壁掛け型の室内機であり、図３に示すように、室内機本体３とリモコン２０とを備えている。
【００２７】
＜室内機本体＞
室内機本体３は、図１、図２および図３に示すように、室内機ケーシング５と、スピーカー５０とを有する。
【００２８】
室内機ケーシング５は、上述の室内ファン１３や室内熱交換器１２等を内側に収容している。また、室内機ケーシング５には、図１および図３に示すように、空調のための空気取込口６と空気吹出口４とが形成されている。
【００２９】
空気取込口６は室内機ケーシング５の上部に設けられており、室内の空気を室内機ケーシング５の内側に取り込むための開口である。室内の空気は、室内ファン１３によって空気取込口６から室内機ケーシング５の内側に取り込まれる。
【００３０】
空気吹出口４は、室内機ケーシング５の前面下部に設けられている。また、空気吹出口４近傍には、空気吹出口４を覆うように水平フラップ１７が設けられている。水平フラップ１７は、フラップモータ（図示せず）によって回転駆動され、空気の案内方向を変更したり、空気吹出口４を開閉したりする。
【００３１】
また、室内機本体３には、「運転／停止」ボタン３３ａおよび「自動運転設定」ボタン３４が設けられている（図４参照）。「運転／停止」ボタン３３ａは、ユーザが空気調和機１００の運転を開始または停止させるときに操作されるボタンである。また、「自動運転設定」ボタン３４は、ユーザが空気調和機１００の内部クリーン運転およびフィルタ清掃運転を通常運転の停止後に自動的に開始するか否かの設定を行うときに操作されるボタンである。
【００３２】
さらに、室内機ケーシング５は、図２に示すように、エアフィルタ２１および巻き取り機構２３を含むエアフィルタユニット２２を内側に収容している。エアフィルタ２１は、空気取込口６と室内熱交換器１２との間に配置されており、室内熱交換器１２に向かって流入してくる空気に含まれる塵埃を除去する。また、巻き取り機構２３は、エアフィルタ２１を下方に移動させる。さらに、エアフィルタ２１の下方にはダストボックス７０が配置されており、ダストボックス７０の内側には回転ブラシ７２が配備されている。回転ブラシ７２は、ブラシ用モータ（図示せず）によって回転駆動されるとともに、エアフィルタユニット２２の下側からこの部分に移動してくるエアフィルタ２１に押圧接触する。このエアフィルタユニット２２と、回転ブラシ７２と、ブラシ用モータとは、エアフィルタ２１を移動させてエアフィルタ２１に付着した塵埃を取り除くフィルタ清掃部を構成している。なお、後述するフィルタ清掃運転は、このフィルタ清掃部が駆動することによって行われる運転である。
【００３３】
また、フィルタ清掃部が駆動することによって、エアフィルタ２１から取り除かれた塵埃は、ダストボックス７０に溜められる。ダストボックス７０は、室内機ケーシング５の空気吹出口４の上部に室内機ケーシング５の外側から着脱可能に取り付けられている。このため、ユーザは、室内機ケーシング５の外側からダストボックス７０を取り外すことでダストボックス７０の内側に溜まった塵埃を廃棄することができる。また、エアフィルタ２１はエアフィルタユニット２２から着脱可能に取り付けられており、ユーザは、エアフィルタ２１を内機ケーシング５の外側に取り出すことができる。このため、ユーザは、エアフィルタ２１の清掃を手作業で行うこともできる。
【００３４】
スピーカー５０は、室内機ケーシング５の空気吹出口４近傍に設けられている。また、スピーカー５０は、後述する音声制御部６２によって制御され、外部に所定のアナウンスを行う。
【００３５】
また、室内機本体３は、室内機制御部６０を有している。以下、室内機制御部６０について図４を用いて説明する。
【００３６】
室内機制御部６０は、ＣＰＵやメモリ等を含むマイクロコンピュータを用いて構成されており、受信部３０と、送信部３１とを含む。受信部３０は、リモコン２０からの制御信号を受信する。送信部３１は、受信部３０において受信した制御信号を室外機制御部に送信する。また、室内機制御部６０は、受信部３０において受信した制御信号に基づいて、室内ファン１３や室内熱交換器１２等の室内機本体３内部の各種機器の制御を行う。
【００３７】
さらに、室内機制御部６０は、室内機本体３に設けられている「運転／停止」ボタン３３ａおよび「設定」ボタンと接続されている。ユーザによって「運転／停止」ボタン３３ａが押されると、室内機制御部６０は、空気調和機１００の運転開始や運転停止の制御信号を室外機制御部に送信するとともに、室内ファン１３や室内熱交換器１２等の室内機本体３内部の各種機器の制御を行う。また、ユーザによって「自動運転設定」ボタン３４が押されると、室内機制御部６０は、後述する所定条件が満たされている場合、通常運転の停止時に内部クリーン運転またはフィルタ清掃運転が開始するように空気調和機１００の制御を行う。
【００３８】
さらに、室内機制御部６０は、判定部６１および音声制御部６２として機能する。判定部６１は、リモコン２０から受信した制御信号が、空気調和機１００の通常運転の停止信号であるか否かを判定する。さらに、判定された制御信号が通常運転の停止信号である場合、または、ユーザによって室内機本体３に設けられている「運転／停止」ボタン３３ａが押されている場合には、判定部６１は、所定条件を満たしているか否かを判定する。なお、所定条件には、以下に示す項目が含まれる。
【００３９】
（１）内部クリーン運転が所定時間以上行われていない。
【００４０】
（２）エアフィルタ２１の清掃またはフィルタ清掃運転が所定時間以上行われていない        。
【００４１】
（３）以前ダストボックス７０の清掃が行われてから、フィルタ清掃運転が所定回数以        上行われた。
【００４２】
また、所定条件を満たしているか否かの判定とは、例えば、上述の（２）については、判定部６１は、以前フィルタ清掃運転が行われてからまたは以前エアフィルタ２１の清掃が行われてからの空気調和機１００の稼働積算時間を算出し、その稼働積算時間が所定時間以上であるか否かを判定する。そして、稼働積算時間が所定時間以上である場合、判定部６１は、エアフィルタ２１の清掃が必要であると判断する。また、稼働積算時間が所定時間未満である場合、判定部６１は、エアフィルタ２１の清掃が必要ではないと判断する。
【００４３】
さらに、上述の（３）については、判定部６１は、以前ダストボックス７０の清掃が行われてから、フィルタ清掃運転が所定回数以上行われたか否かを判定する。そして、以前ダストボックス７０の清掃が行われてから、フィルタ清掃運転の行われた回数が所定回数以上である場合、判定部６１は、ダストボックス７０の清掃が必要であると判断する。また、以前ダストボックス７０の清掃が行われてから、フィルタ清掃運転の行われた回数が所定回数未満である場合、判定部６１は、ダストボックス７０の清掃が必要ではないと判断する。なお、ここでいう、「以前」とは、直近に行われた運転または作業を意味している。例えば、「以前ダストボックスの清掃が行われてから」とは、このときまでに行われたダストボックス７０の清掃作業のうちの直近の清掃作業からということである。
【００４４】
また、判定部６１は、「自動運転設定」ボタン３４が押されているか否かを判定する。なお、本実施形態では、「自動運転設定」ボタン３４が押されている状態をＯＮ状態とし、「自動運転設定」ボタン３４が押されていない状態をＯＦＦ状態とする。
【００４５】
音声制御部６２は、判定部６１の判定に基づいて、所定のアナウンスが為されるようにスピーカー５０を制御する。なお、所定のアナウンスとは、図５に示すように、判定部６１の判定結果に基づいて選択される。例えば、冷房運転が停止され、判定部６１が、自動運転設定がＯＮ状態であり、かつ、内部クリーン運転が所定時間以上行われていないと判定した場合、音声制御部６２は、「冷房運転を停止しました。引き続き、内部クリーン運転を開始します」というアナウンスが為されるようにスピーカー５０を制御する。また、判定部６１において、所定条件が満たされていないと判断された場合、音声制御部６２は、空気調和機１００の運転が停止したという旨のアナウンスが為されるようにスピーカー５０を制御する。
【００４６】
また、冷房運転が停止され、判定部６１が、以前ダストボックス７０の清掃が行われてから、フィルタ清掃運転が所定回数以上行われたと判定した場合、音声制御部６２は、「冷房運転を停止しました。ダストボックス７０のお手入れをしてください」というアナウンスが為されるようにスピーカー５０を制御する。
【００４７】
なお、ダストボックス７０の清掃が必要である旨の報知は、自動運転設定がＯＮ状態の場合でもＯＦＦ状態の場合でも行われる。
【００４８】
さらに、音声制御部６２は、所定のアナウンスに加えて、メンテナンス運転における注意事項が報知されるようにスピーカー５０を制御する。例えば、上述のように内部クリーン運転についてのアナウンスが為された場合、音声制御部６２は、「室内の温度が上がります」というアナウンスがさらに為されるようにスピーカー５０を制御する。
【００４９】
＜リモコン＞
リモコン２０は、図２に示すように、空気調和機１００を遠隔操作するための装置であり、室内機本体３の受信部３０に対して所定の制御信号を送信する機能を有している。また、リモコン２０は、ユーザからの指示入力を受け付ける複数の操作ボタンを有している。
【００５０】
操作ボタンには、図６に示すように、「運転／停止」ボタン３３ｂ、「温度」ボタン３５および「湿度」ボタン３６等が含まれる。「運転／停止」ボタン３３ｂは、ユーザからの空気調和機１００の運転の開始や運転の停止の指示を受け付ける。「温度」ボタン３５および「湿度」ボタン３６は、ユーザからの調和空気における設定温度や設定湿度などの指示を受け付ける。なお、本実施形態では、「自動運転設定」ボタン３４は室内機本体にのみ設けられているが、リモコン２０に設けられていてもよい。
【００５１】
次に、空気調和機１００の通常運転およびメンテナンス運転について説明する。
【００５２】
＜通常運転およびメンテナンス運転＞
（１）通常運転
通常運転には、冷房運転および暖房運転等の運転が含まれる。通常運転時には、圧縮機が駆動されるとともに、膨張弁が所定の開度に絞られることによって、冷媒が冷媒回路を循環して、室内熱交換器１２が凝縮器または蒸発器として機能する。また、室内ファン１３が駆動されることによって、空気取込口６から室内機本体３内に吸い込まれ、室内熱交換器１２を通って、空気吹出口４から室内に吹き出される空気の流れが生成される。これによって、室内の冷房または暖房を行うことができる。
【００５３】
（２）メンテナンス運転
メンテナンス運転には、室内機本体３に内蔵されている内部機器の一部である室内熱交換器１２またはエアフィルタ２１を清掃するための運転であって、内部クリーン運転と、フィルタ清掃運転とが含まれる。
【００５４】
内部クリーン運転は、室内機本体３内部に繁殖するカビや細菌の生育を抑制するために設けられた運転である。具体的には、冷房運転または除湿運転を行った後に送風運転および暖房運転を所定時間行うことによって、室内熱交換器１２を乾燥させる運転である。
【００５５】
フィルタ清掃運転は、エアフィルタ２１を自動的に清掃するために設けられた運転である。フィルタ清掃運転は、上述のように、フィルタ清掃部が稼働することによって行われる運転である。これによって、エアフィルタ２１に付着している塵埃を自動的に除去することができる。
【００５６】
次に、室内機本体３からの音声による報知動作について図７を用いて説明する。
【００５７】
＜室内機からの音声による報知動作＞
空気調和機１００の暖房運転が行われている状態で、ユーザによって室内機本体３に設けられている「運転／停止」ボタン３３ａが押されると、室内機制御部６０は暖房運転停止の制御信号を受信する（ステップＳ１）。次に、室内機制御部６０は、暖房運転停止の制御信号を室外機制御部に送信するとともに、この制御信号に基づいて室内機本体３内の各種機器の制御を行うことで、空気調和機１００の運転を停止させる。そして、その後、判定部６１は、所定条件が満たされているか否かを判定する。このとき、判定部６１によってエアフィルタ２１の清掃が必要であると判断された場合、判定部６１は、さらに、自動運転設定がＯＮ状態になっているか否かを判定する（ステップＳ２，ステップＳ３）。また、判定部６１によってエアフィルタ２１の清掃が必要ではないと判断された場合、室内機制御部６０は、このとき算出された積算運転時間をメモリに記憶させる。さらに、音声制御部６２は、空気調和機１００の運転が停止したことを報知するようにスピーカー５０を制御する。そして、スピーカー５０から外部に「暖房運転を停止しました」というアナウンスが為される（ステップＳ４）。
【００５８】
判定部６１が、フィルタ清掃運転の必要性があると判断し、かつ、自動運転設定がＯＮ状態になっていると判定した場合、音声制御部６２は、フィルタ清掃運転の開始を報知するようにスピーカー５０を制御する。そして、スピーカー５０から外部に「暖房運転を停止しました。引き続き、フィルタ清掃運転を開始します。」というアナウンスが為される（ステップＳ５）。
【００５９】
また、判定部６１が、フィルタ清掃運転の必要性があると判断し、かつ、自動運転設定がＯＦＦ状態になっていると判定した場合、音声制御部６２は、フィルタ清掃が必要である旨を報知するようにスピーカー５０を制御する。そして、スピーカー５０から外部に「暖房運転を停止しました。エアフィルタ２１をお手入れしてください。」というアナウンスが為される（ステップＳ６）。
【００６０】
なお、空気調和機１００の通常運転が、リモコン２０に設けられている「運転／停止」ボタン３３ｂがユーザに押されることによって停止された場合も、室内機本体３に設けられている「運転／停止」ボタン３３ａがユーザに押されることによって停止された場合と同様に、室内機制御部６０は、通常運転の停止信号を受信し、判定部６１の判断に基づいて所定のアナウンスが為されるようにスピーカー５０を制御する。
【００６１】
＜特徴＞
（１）
従来より、リモコンの表示部に運転内容を表示することによって、ユーザに対して現在の運転内容を報知することができる空気調和機がある。しかし、この空気調和機では、ユーザは、表示部の表示を視覚的に確認しなければならない。このため、運転内容をユーザに対して十分に報知できていないおそれがある。
【００６２】
そこで、特開２００７−４０６４４号公報では、リモコンの表示部に運転内容を表示するとともに、室内機本体の有するスピーカー５０から運転内容を音声によって発する空気調和機が提案されている。この空気調和機では、ユーザに対する運転内容の報知が、表示および音声によって行われている。このため、ユーザは、視覚および聴覚から運転内容を認識することができる。
【００６３】
しかしながら、この空気調和機では、ユーザがリモコンを操作して指定した運転内容を、表示および音声によって報知が行われる。このため、例えば、この空気調和機が空気調和機の運転停止時に自動的にフィルタ清掃運転等のメンテナンス運転が行われる機能を有している場合、室内機本体の操作部を直接操作されることによって空気調和機の運転が停止されると、表示または音声によるメンテナンス運転の報知が行われないことになる。したがって、ユーザは、このメンテナンス運転の開始を認識できないおそれがある。
【００６４】
そこで、上記実施形態では、判定部６１および音声制御部６２として機能する室内機制御部６０を備えている。判定部６１は、リモコン２０から受信した制御信号が、空気調和機１００の通常運転の停止信号であるか否かを判定する。さらに、判定された制御信号が通常運転の停止信号である場合、または、ユーザによって室内機本体３に設けられている「運転／停止」ボタン３３ａが押されている場合には、判定部６１は、所定条件を満たしているか否かを判定する。また、音声制御部６２は、判定部６１の判定結果に基づいて、スピーカー５０から所定のアナウンスが為されるようにスピーカー５０を制御する。このため、通常運転の運転が停止されることによって、スピーカー５０から外部に音声による報知が行われる。したがって、ユーザが室内機本体３の「運転／停止」ボタン３３ａを押すことによって空気調和機１００の運転を停止した場合でも、スピーカー５０から音声による運転内容に関する所定のアナウンスが行われる。
【００６５】
これによって、ユーザに対して運転内容の報知をより確実に行うことができている。
【００６６】
（２）
上記実施形態では、室内機本体３には、「自動運転設定」ボタン３４が設けられている。「自動運転設定」ボタン３４は、ユーザが空気調和機１００の内部クリーン運転およびフィルタ清掃運転を通常運転の停止後に自動的に開始するか否かの設定を行うときに操作されるボタンである。このため、通常運転の停止後に自動的に内部クリーン運転またはフィルタ清掃運転を開始するか否かを、ユーザの好みに応じて設定する。
【００６７】
これによって、ユーザの快適性を向上させることができている。
【００６８】
（３）
上記実施形態では、スピーカー５０は、室内機本体３に設けられている。このため、例えば、液晶表示画面等の表示部を有するリモコンにおいて、この表示部に報知内容が表示される場合、ユーザは、表示部の報知内容を確認することによって報知内容を認識する。したがって、リモコンの表示部による報知では、ユーザが表示部を視覚的に確認する必要がある。しかしながら、本発明の空気調和機では、室内機本体３に設けられているスピーカー５０から音声によって報知が行われる。このため、少なくとも室内機本体３の近傍にいるユーザに対して、聴覚的に報知内容を報知することができる。したがって、表示による報知と比較して、報知可能な範囲をより広くすることができる。
【００６９】
これによって、ユーザに運転等の報知内容を認識させやすくすることができている。
【００７０】
（４）
上記実施形態では、音声制御部６２は、所定のアナウンスに加えて、メンテナンス運転における注意事項が報知されるようにスピーカー５０を制御する。例えば、内部クリーン運転についてのアナウンスが為された場合、音声制御部６２は、「室内の温度が上がります」というアナウンスがさらに為されるようにスピーカー５０を制御する。このため、ユーザにメンテナンス運転における注意事項を認識させることができる。
【００７１】
これによって、ユーザに不快感を与えにくくすることができている。
【００７２】
＜変形例＞
（Ａ）
上記実施形態では、スピーカー５０から報知されるアナウンス内容は、予め設定されている。例えば、判定部６１によってメンテナンス運転が必要であると判断され、かつ、自動運転設定がＯＮ状態であると判断された場合、音声制御部６２は、予め設定されているメンテナンス運転の開始の報知が為されるようにスピーカー５０を制御している。しかし、ユーザによってアナウンス内容が設定され、この設定されたアナウンス内容がスピーカーから報知されてもよい。例えば、ユーザによって、メンテナンス運転が開始されるときのアナウンス内容が、室内熱交換器またはエアフィルタのメンテナンスが必要である旨の報知、および、メンテナンス運転が開始する旨の報知に設定された場合、音声制御部は、判定部の判定に基づいて、室内熱交換器またはエアフィルタのメンテナンスが必要である旨の報知が為された後にメンテナンス運転の開始の報知が為されるようにスピーカーを制御する。
【００７３】
また、このようなアナウンス内容の設定は、例えば、室内機本体に「内容設定」ボタンが設けられ、ユーザが「内容設定」ボタンを押すことによって行われてもよい。なお、この場合、「内容設定」ボタンが押されている状態をＯＮ状態とすると、内容設定がＯＮ状態においては、スピーカーからのアナウンス内容は、室内熱交換器またはエアフィルタのメンテナンスが必要である旨の報知、および、メンテナンス運転が開始する旨の報知となる。また、「内容設定」ボタンが押されていない状態をＯＦＦ状態とすると、内容設定がＯＦＦ状態においては、スピーカーからのアナウンス内容は、メンテナンス運転が開始する旨の報知のみとなる。この場合、例えば、アナウンスの内容設定がＯＮ状態であり、判定部によってメンテナンス運転が必要であると判断され、かつ、自動運転設定がＯＮ状態であると判断された場合、音声制御部は、室内熱交換器またはエアフィルタのメンテナンスが必要である旨の報知が為された後に、メンテナンス運転の開始の報知が為されるようにスピーカーを制御する。また、アナウンスの内容設定がＯＦＦ状態であり、判定部によってメンテナンス運転が必要であると判断され、かつ、自動運転設定がＯＮ状態であると判断された場合、音声制御部は、メンテナンス運転の開始の報知のみが為されるようにスピーカーを制御する。
【００７４】
これによって、アナウンス内容をユーザの好みに応じて設定することができる。
【００７５】
また、内容設定がＯＮ状態である場合には、ユーザに対して室内熱交換器またはエアフィルタのメンテナンスが必要であることを認識させるとともに、メンテナンス運転が開始されることを認識させることができる。
【００７６】
（Ｂ）
上記実施形態では、室内機制御部６０は、通常運転の停止信号を受信すると、この運転停止の制御信号を室外機制御部に送信するとともに、室内機本体３内の各種機器の制御を行うことで、空気調和機１００の運転を停止させる。そして、その後、音声制御部６２は、判定部６１の判定結果に基づいて、所定のアナウンスが為されるようにスピーカー５０を制御する。したがって、この空気調和機１００では、各種機器の稼働が停止した後に、スピーカー５０から所定のアナウンスが為されている。しかし、室内機制御部が運転停止の制御信号を受信した後であれば、スピーカーから所定のアナウンスが為されるタイミングは、空気調和機の稼働が停止する直前でもよく、また、空気調和機の稼働が停止するのと同時でもよい。
【産業上の利用可能性】
【００７７】
本発明は、ユーザに対する運転内容の報知をより確実に行うことができるため、空気調和機への適用が有用である。
【図面の簡単な説明】
【００７８】
【図１】本発明の実施形態に係る空気調和機の正面図。
【図２】室内機本体の縦断面図。
【図３】室内機の概略図。
【図４】室内機制御部の制御ブロック図。
【図５】判定部の判定結果と所定アナウンスとの関係を示す図。
【図６】リモコンの正面図。
【図７】室内機制御部の処理を示すフローチャート。
【符号の説明】
【００７９】
１      室内機
３      室内機本体
１２      室内熱交換器（内部機器）
２０      リモコン
２１      エアフィルタ（内部機器）
３０      受信部（受付部）
３３ａ    「運転／停止」ボタン（受信部）
３４      「自動運転設定」ボタン（設定部）
５０      スピーカー（音声出力部）
６１      判定部
６２      音声制御部（制御部）
７０      ダストボックス（内部機器）
１００      空気調和機
【図１】
2009133498.tif 000003
【図２】
2009133498.tif 000004
【図３】
2009133498.tif 000005
【図４】
2009133498.tif 000006
【図５】
2009133498.tif 000007
【図６】
2009133498.tif 000008
【図７】
2009133498.tif 000009
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
通常運転と、室内機（１）の有する室内機本体（３）の内側に収容される内部機器（１２，２１，７０）の清掃または乾燥を行うメンテナンス運転とを少なくとも行う空気調和機であって、
前記通常運転の運転動作状況を監視し、前記運転動作状況が所定条件を満たしているか否かを判定する判定部（６１）と、
前記通常運転の停止時に前記判定部の判定結果に基づいて、前記内部機器のメンテナンスが必要である旨、および／または、前記メンテナンス運転の開始を音によって報知する音出力部（５０）と、
を備える空気調和機（１００）。
【請求項２】
前記通常運転の停止信号を受け付ける受付部（３０，３３ａ）を更に備える、
請求項１に記載の空気調和機。
【請求項３】
前記通常運転の停止時に前記メンテナンス運転を自動的に開始するか否かの設定を行うための設定部（３４）を更に備える、
請求項１または２に記載の空気調和機。
【請求項４】
前記設定が前記メンテナンス運転を自動的に開始する設定である場合に、前記メンテナンス運転の開始が報知されるように前記音出力部の音出力動作を制御し、前記設定が前記メンテナンス運転を自動的に開始しない設定である場合に、前記内部機器のメンテナンスが必要である旨が報知されるように前記音出力部の音出力動作を制御する制御部（６２）を更に備える、
請求項３に記載の空気調和機。
【請求項５】
前記設定が前記メンテナンス運転を自動的に開始する設定である場合に、前記内部機器のメンテナンスが必要である旨および前記メンテナンス運転の開始が報知されるように前記音出力部の音出力動作を制御し、前記設定が前記メンテナンス運転を自動的に開始しない設定である場合に、前記内部機器のメンテナンスが必要である旨が報知されるように前記音出力部の音出力動作を制御する制御部を更に備える、
請求項３に記載の空気調和機。
【請求項６】
前記室内機は、リモコン（２０）を更に有し、
前記音出力部は、前記室内機本体の方に設けられている、
請求項１から５のいずれかに記載の空気調和機。
【請求項７】
前記音出力部は、前記メンテナンス運転における注意事項を更に報知する、
請求項１から６のいずれかに記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、報知機能を備える空気調和機に関する。
【背景技術】
【０００２】
従来より、リモコンの表示部に運転内容を表示することによって、ユーザに対して現在の運転内容を報知することができる空気調和機がある。しかし、この空気調和機では、ユーザは、表示部の表示を視覚的に確認しなければならない。このため、運転内容をユーザに対して十分に報知できていないおそれがある。
【０００３】
そこで、リモコンの表示部に運転内容を表示するとともに、室内機本体の有するスピーカーから運転内容を音声によって発する空気調和機が提案されている（特許文献１参照）。この空気調和機では、ユーザに対する運転内容の報知が、表示および音声によって行われている。このため、ユーザは、視覚および聴覚から運転内容を認識することができる。
【特許文献１】特開２００７−４０６４４号公報
【発明の開示】
【発明が解決しようとする課題】
【０００４】
しかしながら、この空気調和機では、ユーザがリモコンを操作して指定した運転内容を、表示および音声によって報知が行われる。このため、例えば、この空気調和機が空気調和機の運転停止時に自動的にフィルタ清掃運転等のメンテナンス運転が行われる機能を有している場合、室内機本体の操作部を直接操作されることによって空気調和機の運転が停止されると、表示または音声によるメンテナンス運転の報知が行われないことになる。したがって、ユーザは、このメンテナンス運転の開始を認識できないおそれがある。
【０００５】
そこで、本発明の課題は、ユーザに対する運転内容の報知をより確実に行うことができる空気調和機を提供することにある。
【課題を解決するための手段】
【０００６】
第１発明に係る空気調和機は、通常運転と、室内機の有する室内機本体の内側に収容される内部機器の清掃または乾燥を行うメンテナンス運転とを少なくとも行う空気調和機であって、判定部と、音出力部とを備えている。判定部は、通常運転の運転動作状況を監視する。また、判定部は、通常運転の運転動作状況が、所定条件を満たしているか否かを判定する。さらに、音出力部は、通常運転の停止時に判定部の判定結果に基づいて、内部機器のメンテナンスが必要である旨、および／または、メンテナンス運転の開始を音によって報知する。
【０００７】
第１発明に係る空気調和機では、通常運転の停止時に、内部機器のメンテナンスが必要である旨、および／または、メンテナンス運転の開始を音によって報知する音出力部を備えている。このため、通常運転の運転が停止されることによって、メンテナンス運転に関する内容が音によって報知される。したがって、例えば、ユーザが室内機本体の操作部を直接操作することによって空気調和機の運転を停止した場合でも、メンテナンス運転に関する内容が音によって報知されることになる。
【０００８】
これによって、ユーザに対する運転内容の報知をより確実に行うことができる。
【０００９】
第２発明に係る空気調和機は、第１発明の空気調和機であって、受付部を更に備えている。受付部は、通常運転の停止信号を受け付ける。この受付部とは、例えば、ユーザから通常運転の停止情報の入力を受け付ける入力受付部やリモコンを介して通常運転の停止信号を受信する制御信号受付部等を含む。このため、この空気調和機では、ユーザからの通常運転の停止信号を受け付けることができる。
【００１０】
第３発明に係る空気調和機は、第１発明または第２発明の空気調和機であって、設定部を更に備えている。設定部では、通常運転の停止時に、メンテナンス運転を自動的に開始するか否かの設定が行われる。このため、通常運転の停止時に自動的にメンテナンス運転を開始するか否かを、ユーザの好みに応じて設定することができる。
【００１１】
これによって、ユーザの快適性を向上させることができる。
【００１２】
第４発明に係る空気調和機は、第３発明の空気調和機であって、制御部を更に備えている。制御部は、設定がメンテナンス運転を自動的に開始する設定である場合に、メンテナンス運転の開始が報知されるように音出力部の音出力動作を制御する。また、制御部は、設定がメンテナンス運転を自動的に開始しない設定である場合に、内部機器のメンテナンスが必要である旨が報知されるように音出力部の音出力動作を制御する。このため、この空気調和機では、設定に基づいてメンテナンス運転の開始あるいは内部機器のメンテナンスが必要であることを報知することができる。
【００１３】
第５発明に係る空気調和機は、第３発明の空気調和機であって、制御部を更に備えている。制御部は、設定がメンテナンス運転を自動的に開始する設定である場合に、内部機器のメンテナンスが必要である旨、および、メンテナンス運転の開始が報知されるように音出力部の音出力動作を制御する。また、制御部は、設定がメンテナンス運転を自動的に開始しない設定である場合に、内部機器のメンテナンスが必要である旨が報知されるように音出力部の音出力動作を制御する。このため、この空気調和機では、設定に基づいてメンテナンス運転の開始、および、内部機器のメンテナンスが必要であることを報知することができる。
【００１４】
第６発明に係る空気調和機は、第１発明から第５発明のいずれかの空気調和機であって、室内機は、リモコンを更に有している。また、音出力部は、室内機本体の方に設けられている。このため、例えば、液晶表示画面等の表示部を有するリモコンにおいて、この表示部に報知内容が表示される場合、ユーザは、表示部の報知内容を確認することによって報知内容を認識する。したがって、リモコンの表示部による報知では、ユーザが表示部を視覚的に確認する必要がある。しかしながら、この空気調和機では、室内機本体に設けられている音出力部から音によって報知が行われる。このため、少なくとも室内機本体の近傍にいるユーザに対して、聴覚的に報知内容を報知することができる。したがって、表示による報知と比較して、報知可能な範囲をより広くすることができる。
【００１５】
これによって、ユーザに報知内容を認識させやすくすることができる。
【００１６】
第７発明に係る空気調和機は、第１発明から第６発明のいずれかの空気調和機であって、音出力部は、メンテナンス運転における注意事項を更に報知する。このメンテナンス運転における注意事項とは、例えば、メンテナンス運転が行われることによって室内の温度が上昇する等である。また、このような場合には、「室内の温度が上がります」という報知が為される。このため、ユーザにメンテナンス運転における注意事項を認識させることができる。
【００１７】
これによって、メンテナンス運転におけるユーザの不快感を軽減させることができる。
【発明の効果】
【００１８】
第１発明に係る空気調和機では、ユーザに対する運転内容の報知をより確実に行うことができる。
【００１９】
第２発明に係る空気調和機では、ユーザからの通常運転の停止信号を受け付けることができる。
【００２０】
第３発明に係る空気調和機では、ユーザの快適性を向上させることができる。
【００２１】
第４発明に係る空気調和機では、設定に基づいてメンテナンス運転の開始あるいは内部機器のメンテナンスが必要であることを報知することができる。
【００２２】
第５発明に係る空気調和機では、設定に基づいてメンテナンス運転の開始、および、内部機器のメンテナンスが必要であることを報知することができる。
【００２３】
第６発明に係る空気調和機では、ユーザに報知内容を認識させやすくすることができる。
【００２４】
第７発明に係る空気調和機では、メンテナンス運転におけるユーザの不快感を軽減させることができる。
【発明を実施するための最良の形態】
【００２５】
＜空気調和機の概略構成＞
本発明の一実施形態に係る室内機１を備える空気調和機１００を図１に示す。この空気調和機１００は、室内機１と室外機２とから構成されており、冷房運転および暖房運転を含む通常運転と内部クリーン運転およびフィルタ清掃運転を含むメンテナンス運転とを行うことができる。空気調和機１００は、空調室内の空気を空気取込口６から室内機１の備える室内機本体３内部に取り込み、取り込んだ空気に対して空気調和を行い、空気調和された空気を空気吹出口４から空調室内に吹き出す。室内機本体３内には、図２に示すように、室内ファン１３および室内熱交換器１２等が配置されている。また、室外機２には、室外機制御部が内蔵されている。室外機制御部は、室外機２に収容されている圧縮機、室外ファンおよび室外熱交換器等の制御を行う。以下、室内機１の構成について説明する。
【００２６】
＜室内機の構成＞
室内機１は、室内の壁面に取り付けられる壁掛け型の室内機であり、図３に示すように、室内機本体３とリモコン２０とを備えている。
【００２７】
＜室内機本体＞
室内機本体３は、図１、図２および図３に示すように、室内機ケーシング５と、スピーカー５０とを有する。
【００２８】
室内機ケーシング５は、上述の室内ファン１３や室内熱交換器１２等を内側に収容している。また、室内機ケーシング５には、図１および図３に示すように、空調のための空気取込口６と空気吹出口４とが形成されている。
【００２９】
空気取込口６は室内機ケーシング５の上部に設けられており、室内の空気を室内機ケーシング５の内側に取り込むための開口である。室内の空気は、室内ファン１３によって空気取込口６から室内機ケーシング５の内側に取り込まれる。
【００３０】
空気吹出口４は、室内機ケーシング５の前面下部に設けられている。また、空気吹出口４近傍には、空気吹出口４を覆うように水平フラップ１７が設けられている。水平フラップ１７は、フラップモータ（図示せず）によって回転駆動され、空気の案内方向を変更したり、空気吹出口４を開閉したりする。
【００３１】
また、室内機本体３には、「運転／停止」ボタン３３ａおよび「自動運転設定」ボタン３４が設けられている（図４参照）。「運転／停止」ボタン３３ａは、ユーザが空気調和機１００の運転を開始または停止させるときに操作されるボタンである。また、「自動運転設定」ボタン３４は、ユーザが空気調和機１００の内部クリーン運転およびフィルタ清掃運転を通常運転の停止後に自動的に開始するか否かの設定を行うときに操作されるボタンである。
【００３２】
さらに、室内機ケーシング５は、図２に示すように、エアフィルタ２１および巻き取り機構２３を含むエアフィルタユニット２２を内側に収容している。エアフィルタ２１は、空気取込口６と室内熱交換器１２との間に配置されており、室内熱交換器１２に向かって流入してくる空気に含まれる塵埃を除去する。また、巻き取り機構２３は、エアフィルタ２１を下方に移動させる。さらに、エアフィルタ２１の下方にはダストボックス７０が配置されており、ダストボックス７０の内側には回転ブラシ７２が配備されている。回転ブラシ７２は、ブラシ用モータ（図示せず）によって回転駆動されるとともに、エアフィルタユニット２２の下側からこの部分に移動してくるエアフィルタ２１に押圧接触する。このエアフィルタユニット２２と、回転ブラシ７２と、ブラシ用モータとは、エアフィルタ２１を移動させてエアフィルタ２１に付着した塵埃を取り除くフィルタ清掃部を構成している。なお、後述するフィルタ清掃運転は、このフィルタ清掃部が駆動することによって行われる運転である。
【００３３】
また、フィルタ清掃部が駆動することによって、エアフィルタ２１から取り除かれた塵埃は、ダストボックス７０に溜められる。ダストボックス７０は、室内機ケーシング５の空気吹出口４の上部に室内機ケーシング５の外側から着脱可能に取り付けられている。このため、ユーザは、室内機ケーシング５の外側からダストボックス７０を取り外すことでダストボックス７０の内側に溜まった塵埃を廃棄することができる。また、エアフィルタ２１はエアフィルタユニット２２から着脱可能に取り付けられており、ユーザは、エアフィルタ２１を内機ケーシング５の外側に取り出すことができる。このため、ユーザは、エアフィルタ２１の清掃を手作業で行うこともできる。
【００３４】
スピーカー５０は、室内機ケーシング５の空気吹出口４近傍に設けられている。また、スピーカー５０は、後述する音声制御部６２によって制御され、外部に所定のアナウンスを行う。
【００３５】
また、室内機本体３は、室内機制御部６０を有している。以下、室内機制御部６０について図４を用いて説明する。
【００３６】
室内機制御部６０は、ＣＰＵやメモリ等を含むマイクロコンピュータを用いて構成されており、受信部３０と、送信部３１とを含む。受信部３０は、リモコン２０からの制御信号を受信する。送信部３１は、受信部３０において受信した制御信号を室外機制御部に送信する。また、室内機制御部６０は、受信部３０において受信した制御信号に基づいて、室内ファン１３や室内熱交換器１２等の室内機本体３内部の各種機器の制御を行う。
【００３７】
さらに、室内機制御部６０は、室内機本体３に設けられている「運転／停止」ボタン３３ａおよび「設定」ボタンと接続されている。ユーザによって「運転／停止」ボタン３３ａが押されると、室内機制御部６０は、空気調和機１００の運転開始や運転停止の制御信号を室外機制御部に送信するとともに、室内ファン１３や室内熱交換器１２等の室内機本体３内部の各種機器の制御を行う。また、ユーザによって「自動運転設定」ボタン３４が押されると、室内機制御部６０は、後述する所定条件が満たされている場合、通常運転の停止時に内部クリーン運転またはフィルタ清掃運転が開始するように空気調和機１００の制御を行う。
【００３８】
さらに、室内機制御部６０は、判定部６１および音声制御部６２として機能する。判定部６１は、リモコン２０から受信した制御信号が、空気調和機１００の通常運転の停止信号であるか否かを判定する。さらに、判定された制御信号が通常運転の停止信号である場合、または、ユーザによって室内機本体３に設けられている「運転／停止」ボタン３３ａが押されている場合には、判定部６１は、所定条件を満たしているか否かを判定する。なお、所定条件には、以下に示す項目が含まれる。
【００３９】
（１）内部クリーン運転が所定時間以上行われていない。
【００４０】
（２）エアフィルタ２１の清掃またはフィルタ清掃運転が所定時間以上行われていな        い。
【００４１】
（３）以前ダストボックス７０の清掃が行われてから、フィルタ清掃運転が所定回数        以上行われた。
【００４２】
また、所定条件を満たしているか否かの判定とは、例えば、上述の（２）については、判定部６１は、以前フィルタ清掃運転が行われてからまたは以前エアフィルタ２１の清掃が行われてからの空気調和機１００の稼働積算時間を算出し、その稼働積算時間が所定時間以上であるか否かを判定する。そして、稼働積算時間が所定時間以上である場合、判定部６１は、エアフィルタ２１の清掃が必要であると判断する。また、稼働積算時間が所定時間未満である場合、判定部６１は、エアフィルタ２１の清掃が必要ではないと判断する。
【００４３】
さらに、上述の（３）については、判定部６１は、以前ダストボックス７０の清掃が行われてから、フィルタ清掃運転が所定回数以上行われたか否かを判定する。そして、以前ダストボックス７０の清掃が行われてから、フィルタ清掃運転の行われた回数が所定回数以上である場合、判定部６１は、ダストボックス７０の清掃が必要であると判断する。また、以前ダストボックス７０の清掃が行われてから、フィルタ清掃運転の行われた回数が所定回数未満である場合、判定部６１は、ダストボックス７０の清掃が必要ではないと判断する。なお、ここでいう、「以前」とは、直近に行われた運転または作業を意味している。例えば、「以前ダストボックスの清掃が行われてから」とは、このときまでに行われたダストボックス７０の清掃作業のうちの直近の清掃作業からということである。
【００４４】
また、判定部６１は、「自動運転設定」ボタン３４が押されているか否かを判定する。なお、本実施形態では、「自動運転設定」ボタン３４が押されている状態をＯＮ状態とし、「自動運転設定」ボタン３４が押されていない状態をＯＦＦ状態とする。
【００４５】
音声制御部６２は、判定部６１の判定に基づいて、所定のアナウンスが為されるようにスピーカー５０を制御する。なお、所定のアナウンスとは、図５に示すように、判定部６１の判定結果に基づいて選択される。例えば、冷房運転が停止され、判定部６１が、自動運転設定がＯＮ状態であり、かつ、内部クリーン運転が所定時間以上行われていないと判定した場合、音声制御部６２は、「冷房運転を停止しました。引き続き、内部クリーン運転を開始します」というアナウンスが為されるようにスピーカー５０を制御する。また、判定部６１において、所定条件が満たされていないと判断された場合、音声制御部６２は、空気調和機１００の運転が停止したという旨のアナウンスが為されるようにスピーカー５０を制御する。
【００４６】
また、冷房運転が停止され、判定部６１が、以前ダストボックス７０の清掃が行われてから、フィルタ清掃運転が所定回数以上行われたと判定した場合、音声制御部６２は、「冷房運転を停止しました。ダストボックス７０のお手入れをしてください」というアナウンスが為されるようにスピーカー５０を制御する。
【００４７】
なお、ダストボックス７０の清掃が必要である旨の報知は、自動運転設定がＯＮ状態の場合でもＯＦＦ状態の場合でも行われる。
【００４８】
さらに、音声制御部６２は、所定のアナウンスに加えて、メンテナンス運転における注意事項が報知されるようにスピーカー５０を制御する。例えば、上述のように内部クリーン運転についてのアナウンスが為された場合、音声制御部６２は、「室内の温度が上がります」というアナウンスがさらに為されるようにスピーカー５０を制御する。
【００４９】
＜リモコン＞
リモコン２０は、図２に示すように、空気調和機１００を遠隔操作するための装置であり、室内機本体３の受信部３０に対して所定の制御信号を送信する機能を有している。また、リモコン２０は、ユーザからの指示入力を受け付ける複数の操作ボタンを有している。
【００５０】
操作ボタンには、図６に示すように、「運転／停止」ボタン３３ｂ、「温度」ボタン３５および「湿度」ボタン３６等が含まれる。「運転／停止」ボタン３３ｂは、ユーザからの空気調和機１００の運転の開始や運転の停止の指示を受け付ける。「温度」ボタン３５および「湿度」ボタン３６は、ユーザからの調和空気における設定温度や設定湿度などの指示を受け付ける。なお、本実施形態では、「自動運転設定」ボタン３４は室内機本体にのみ設けられているが、リモコン２０に設けられていてもよい。
【００５１】
次に、空気調和機１００の通常運転およびメンテナンス運転について説明する。
【００５２】
＜通常運転およびメンテナンス運転＞
（１）通常運転
通常運転には、冷房運転および暖房運転等の運転が含まれる。通常運転時には、圧縮機が駆動されるとともに、膨張弁が所定の開度に絞られることによって、冷媒が冷媒回路を循環して、室内熱交換器１２が凝縮器または蒸発器として機能する。また、室内ファン１３が駆動されることによって、空気取込口６から室内機本体３内に吸い込まれ、室内熱交換器１２を通って、空気吹出口４から室内に吹き出される空気の流れが生成される。これによって、室内の冷房または暖房を行うことができる。
【００５３】
（２）メンテナンス運転
メンテナンス運転には、室内機本体３に内蔵されている内部機器の一部である室内熱交換器１２またはエアフィルタ２１を清掃するための運転であって、内部クリーン運転と、フィルタ清掃運転とが含まれる。
【００５４】
内部クリーン運転は、室内機本体３内部に繁殖するカビや細菌の生育を抑制するために設けられた運転である。具体的には、冷房運転または除湿運転を行った後に送風運転および暖房運転を所定時間行うことによって、室内熱交換器１２を乾燥させる運転である。
【００５５】
フィルタ清掃運転は、エアフィルタ２１を自動的に清掃するために設けられた運転である。フィルタ清掃運転は、上述のように、フィルタ清掃部が稼働することによって行われる運転である。これによって、エアフィルタ２１に付着している塵埃を自動的に除去することができる。
【００５６】
次に、室内機本体３からの音声による報知動作について図７を用いて説明する。
【００５７】
＜室内機からの音声による報知動作＞
空気調和機１００の暖房運転が行われている状態で、ユーザによって室内機本体３に設けられている「運転／停止」ボタン３３ａが押されると、室内機制御部６０は暖房運転停止の制御信号を受信する（ステップＳ１）。次に、室内機制御部６０は、暖房運転停止の制御信号を室外機制御部に送信するとともに、この制御信号に基づいて室内機本体３内の各種機器の制御を行うことで、空気調和機１００の運転を停止させる。そして、その後、判定部６１は、所定条件が満たされているか否かを判定する。このとき、判定部６１によってエアフィルタ２１の清掃が必要であると判断された場合、判定部６１は、さらに、自動運転設定がＯＮ状態になっているか否かを判定する（ステップＳ２，ステップＳ３）。また、判定部６１によってエアフィルタ２１の清掃が必要ではないと判断された場合、室内機制御部６０は、このとき算出された積算運転時間をメモリに記憶させる。さらに、音声制御部６２は、空気調和機１００の運転が停止したことを報知するようにスピーカー５０を制御する。そして、スピーカー５０から外部に「暖房運転を停止しました」というアナウンスが為される（ステップＳ４）。
【００５８】
判定部６１が、フィルタ清掃運転の必要性があると判断し、かつ、自動運転設定がＯＮ状態になっていると判定した場合、音声制御部６２は、フィルタ清掃運転の開始を報知するようにスピーカー５０を制御する。そして、スピーカー５０から外部に「暖房運転を停止しました。引き続き、フィルタ清掃運転を開始します。」というアナウンスが為される（ステップＳ５）。
【００５９】
また、判定部６１が、フィルタ清掃運転の必要性があると判断し、かつ、自動運転設定がＯＦＦ状態になっていると判定した場合、音声制御部６２は、フィルタ清掃が必要である旨を報知するようにスピーカー５０を制御する。そして、スピーカー５０から外部に「暖房運転を停止しました。エアフィルタ２１をお手入れしてください。」というアナウンスが為される（ステップＳ６）。
【００６０】
なお、空気調和機１００の通常運転が、リモコン２０に設けられている「運転／停止」ボタン３３ｂがユーザに押されることによって停止された場合も、室内機本体３に設けられている「運転／停止」ボタン３３ａがユーザに押されることによって停止された場合と同様に、室内機制御部６０は、通常運転の停止信号を受信し、判定部６１の判断に基づいて所定のアナウンスが為されるようにスピーカー５０を制御する。
【００６１】
＜特徴＞
（１）
従来より、リモコンの表示部に運転内容を表示することによって、ユーザに対して現在の運転内容を報知することができる空気調和機がある。しかし、この空気調和機では、ユーザは、表示部の表示を視覚的に確認しなければならない。このため、運転内容をユーザに対して十分に報知できていないおそれがある。
【００６２】
そこで、特開２００７−４０６４４号公報では、リモコンの表示部に運転内容を表示するとともに、室内機本体の有するスピーカー５０から運転内容を音声によって発する空気調和機が提案されている。この空気調和機では、ユーザに対する運転内容の報知が、表示および音声によって行われている。このため、ユーザは、視覚および聴覚から運転内容を認識することができる。
【００６３】
しかしながら、この空気調和機では、ユーザがリモコンを操作して指定した運転内容を、表示および音声によって報知が行われる。このため、例えば、この空気調和機が空気調和機の運転停止時に自動的にフィルタ清掃運転等のメンテナンス運転が行われる機能を有している場合、室内機本体の操作部を直接操作されることによって空気調和機の運転が停止されると、表示または音声によるメンテナンス運転の報知が行われないことになる。したがって、ユーザは、このメンテナンス運転の開始を認識できないおそれがある。
【００６４】
そこで、上記実施形態では、判定部６１および音声制御部６２として機能する室内機制御部６０を備えている。判定部６１は、リモコン２０から受信した制御信号が、空気調和機１００の通常運転の停止信号であるか否かを判定する。さらに、判定された制御信号が通常運転の停止信号である場合、または、ユーザによって室内機本体３に設けられている「運転／停止」ボタン３３ａが押されている場合には、判定部６１は、所定条件を満たしているか否かを判定する。また、音声制御部６２は、判定部６１の判定結果に基づいて、スピーカー５０から所定のアナウンスが為されるようにスピーカー５０を制御する。このため、通常運転の運転が停止されることによって、スピーカー５０から外部に音声による報知が行われる。したがって、ユーザが室内機本体３の「運転／停止」ボタン３３ａを押すことによって空気調和機１００の運転を停止した場合でも、スピーカー５０から音声による運転内容に関する所定のアナウンスが行われる。
【００６５】
これによって、ユーザに対して運転内容の報知をより確実に行うことができている。
【００６６】
（２）
上記実施形態では、室内機本体３には、「自動運転設定」ボタン３４が設けられている。「自動運転設定」ボタン３４は、ユーザが空気調和機１００の内部クリーン運転およびフィルタ清掃運転を通常運転の停止後に自動的に開始するか否かの設定を行うときに操作されるボタンである。このため、通常運転の停止後に自動的に内部クリーン運転またはフィルタ清掃運転を開始するか否かを、ユーザの好みに応じて設定する
これによって、ユーザの快適性を向上させることができている。
【００６７】
（３）
上記実施形態では、スピーカー５０は、室内機本体３に設けられている。このため、例えば、液晶表示画面等の表示部を有するリモコンにおいて、この表示部に報知内容が表示される場合、ユーザは、表示部の報知内容を確認することによって報知内容を認識する。したがって、リモコンの表示部による報知では、ユーザが表示部を視覚的に確認する必要がある。しかしながら、本発明の空気調和機では、室内機本体３に設けられているスピーカー５０から音声によって報知が行われる。このため、少なくとも室内機本体３の近傍にいるユーザに対して、聴覚的に報知内容を報知することができる。したがって、表示による報知と比較して、報知可能な範囲をより広くすることができる。
【００６８】
これによって、ユーザに運転等の報知内容を認識させやすくすることができている。
【００６９】
（４）
上記実施形態では、音声制御部６２は、所定のアナウンスに加えて、メンテナンス運転における注意事項が報知されるようにスピーカー５０を制御する。例えば、内部クリーン運転についてのアナウンスが為された場合、音声制御部６２は、「室内の温度が上がります」というアナウンスがさらに為されるようにスピーカー５０を制御する。このため、ユーザにメンテナンス運転における注意事項を認識させることができる。
【００７０】
これによって、ユーザに不快感を与えにくくすることができている。
【００７１】
＜変形例＞
（Ａ）
上記実施形態では、スピーカー５０から報知されるアナウンス内容は、予め設定されている。例えば、判定部６１によってメンテナンス運転が必要であると判断され、かつ、自動運転設定がＯＮ状態であると判断された場合、音声制御部６２は、予め設定されているメンテナンス運転の開始の報知が為されるようにスピーカー５０を制御している。しかし、ユーザによってアナウンス内容が設定され、この設定されたアナウンス内容がスピーカーから報知されてもよい。例えば、ユーザによって、メンテナンス運転が開始されるときのアナウンス内容が、室内熱交換器またはエアフィルタのメンテナンスが必要である旨の報知、および、メンテナンス運転が開始する旨の報知に設定された場合、音声制御部は、判定部の判定に基づいて、室内熱交換器またはエアフィルタのメンテナンスが必要である旨の報知が為された後にメンテナンス運転の開始の報知が為されるようにスピーカーを制御する。
【００７２】
また、このようなアナウンス内容の設定は、例えば、室内機本体に「内容設定」ボタンが設けられ、ユーザが「内容設定」ボタンを押すことによって行われてもよい。なお、この場合、「内容設定」ボタンが押されている状態をＯＮ状態とすると、内容設定がＯＮ状態においては、スピーカーからのアナウンス内容は、室内熱交換器またはエアフィルタのメンテナンスが必要である旨の報知、および、メンテナンス運転が開始する旨の報知となる。また、「内容設定」ボタンが押されていない状態をＯＦＦ状態とすると、内容設定がＯＦＦ状態においては、スピーカーからのアナウンス内容は、メンテナンス運転が開始する旨の報知のみとなる。この場合、例えば、アナウンスの内容設定がＯＮ状態であり、判定部によってメンテナンス運転が必要であると判断され、かつ、自動運転設定がＯＮ状態であると判断された場合、音声制御部は、室内熱交換器またはエアフィルタのメンテナンスが必要である旨の報知が為された後に、メンテナンス運転の開始の報知が為されるようにスピーカーを制御する。また、アナウンスの内容設定がＯＦＦ状態であり、判定部によってメンテナンス運転が必要であると判断され、かつ、自動運転設定がＯＮ状態であると判断された場合、音声制御部は、メンテナンス運転の開始の報知のみが為されるようにスピーカーを制御する。
【００７３】
これによって、アナウンス内容をユーザの好みに応じて設定することができる。
【００７４】
また、内容設定がＯＮ状態である場合には、ユーザに対して室内熱交換器またはエアフィルタのメンテナンスが必要であることを認識させるとともに、メンテナンス運転が開始されることを認識させることができる。
【００７５】
（Ｂ）
上記実施形態では、室内機制御部６０は、通常運転の停止信号を受信すると、この運転停止の制御信号を室外機制御部に送信するとともに、室内機本体３内の各種機器の制御を行うことで、空気調和機１００の運転を停止させる。そして、その後、音声制御部６２は、判定部６１の判定結果に基づいて、所定のアナウンスが為されるようにスピーカー５０を制御する。したがって、この空気調和機１００では、各種機器の稼働が停止した後に、スピーカー５０から所定のアナウンスが為されている。しかし、室内機制御部が運転停止の制御信号を受信した後であれば、スピーカーから所定のアナウンスが為されるタイミングは、空気調和機の稼働が停止する直前でもよく、また、空気調和機の稼働が停止するのと同時でもよい。
【産業上の利用可能性】
【００７６】
本発明は、ユーザに対する運転内容の報知をより確実に行うことができるため、空気調和機への適用が有用である。
【図面の簡単な説明】
【００７７】
【図１】本発明の実施形態に係る空気調和機の正面図。
【図２】室内機本体の縦断面図。
【図３】室内機の概略図。
【図４】室内機制御部の制御ブロック図。
【図５】判定部の判定結果と所定アナウンスとの関係を示す図。
【図６】リモコンの正面図。
【図７】室内機制御部の処理を示すフローチャート。
【符号の説明】
【００７８】
１      室内機
３      室内機本体
１２      室内熱交換器（内部機器）
２０      リモコン
２１      エアフィルタ（内部機器）
３０      受信部（受付部）
３３ａ    「運転／停止」ボタン（受信部）
３４      「自動運転設定」ボタン（設定部）
５０      スピーカー（音出力部）
６１      判定部
６２      音声制御部（制御部）
７０      ダストボックス（内部機器）
１００      空気調和機